(57)【特許請求の範囲】
【請求項１】
口頸部と柔軟な材料から形成された主部とを有しかつペーストを収容した容器が適用されるペースト送出機構にして、
対向して配設された一対の壁を含み、該一対の壁の少なくとも一方は他方に対して接近及び離隔する方向に移動自在であり、該容器の少なくとも該主部を該一対の壁の間に位置せしめて該容器を受け入れる容器受入手段と、該一対の壁の少なくとも該一方を該他方に接近及び離隔する方向に移動せしめるための壁移動手段とを具備し、該壁移動手段が該一対の壁の少なくとも該一方を該他方に接近せしめる方向に移動せしめて、該一対の壁間に位置せしめられている該容器の該主部を圧潰することによって、該容器に収容されているペーストが該口頸部を通して送出せしめられ、
該壁移動手段は、所定位置に回転自在に装着され且つ外周面には雄ねじが形成されている雄ねじ部材と、内周面に形成されている雌ねじを該雄ねじ部材の該雄ねじに螺合せしめて該雄ねじ部材に装着され、該雄ねじ部材の回転に応じて該雄ねじ部材に沿って移動せしめられる雌ねじ部材と、該雌ねじ部材と該容器受入手段の該一対の壁の少なくとも該一方とを連結するリンク部材と、該雄ねじ部材を回転せしめるための回転駆動源とから構成されており、該雄ねじ部材の回転に応じて該雌ねじ部材が移動せしめられることによって、該一対の壁の少なくとも該一方が移動せしめられる、
ことを特徴とするペースト送出機構。
【請求項２】
該壁移動手段の該雄ねじ部材に形成されている該雄ねじは該雄ねじ部材の前部に形成されている前部雄ねじと該雄ねじ部材の後部に形成されている後部雄ねじとから構成され、該前部雄ねじと該後部雄めじとは回転ねじ方向が相互に逆方向であり、該雌ねじ部材は該前部雄ねじに螺合された前部雌ねじ部材と該後部雌ねじに螺合せしめられた後部雌ねじ部材から構成され、該リンク部材は該前部雌ねじ部材と該一対の壁部材の該一方の前端部とを連結する前部リンク部材と該後部雌ねじ部材と該一対の壁部材の該一方の後端部とを連結する後部リンク部材とから構成されている、請求項１記載のペースト送出機構。
【請求項３】
該容器受入手段は、底壁、該一対の壁を構成する両側壁、前端壁及び後端壁を有する箱状本体と、該箱状本体の上面を閉じる閉位置と該箱状本体の上面を開放する開位置との間を移動自在に配設された蓋部材とから構成されており、該両側壁の一方が該両側壁の他方に接近及び離隔する方向に移動自在であって該壁移動手段によって移動せしめられる、請求項１又は２記載のペースト送出機構。
【請求項４】
該前端壁には上方に開放された切欠が形成されており、該容器の該口頸部は該切欠を通して該箱状本体から突出せしめられる、請求項３記載のペースト送出機構。
【請求項５】
第一のペースト送出機構、第二のペースト送出機構、及びペースト練和手段を具備し、該第一のペースト送出機構及び該第二のペースト送出機構の各々には口頸部と柔軟な材料から形成された主部とを有し且つペーストを収容した容器が適用されるペースト練和装置にして、
該第一のペースト送出機構及び該第二のペースト送出機構の各々は、対向して配設された一対の壁を含み、該一対の壁の少なくとも一方は他方に対して接近及び離隔する方向に移動自在であり、該容器の少なくとも該主部を該一対の壁の間に位置せしめて該容器を受け入れる容器受入手段と、該一対の壁の少なくとも該一方を該他方に接近及び離隔する方向に移動せしめるための壁移動手段とを具備し、該壁移動手段が該一対の壁の少なくとも該一方を該他方に接近せしめる方向に移動せしめて、該一対の壁間に位置せしめられている該容器の該主部を圧潰することによって、該容器に収容されているペーストが該口頸部を通して送出せしめられ、
該壁移動手段は、所定位置に回転自在に装着され且つ外周面には雄ねじが形成されている雄ねじ部材と、内周面に形成されている雌ねじを該雄ねじ部材の該雄ねじに螺合せしめて該雄ねじ部材に装着され、該雄ねじ部材の回転に応じて該雄ねじ部材に沿って移動せしめられる雌ねじ部材と、該雌ねじ部材と該容器受入手段の該一対の壁の少なくとも該一方とを連結するリンク部材と、該雄ねじ部材を回転せしめるための回転駆動源とから構成されており、該雄ねじ部材の回転に応じて該雌ねじ部材が移動せしめられることによって、該一対の壁の少なくとも該一方が移動せしめられる、
ことを特徴とするペースト練和装置。
【請求項６】
該壁移動手段の該雄ねじ部材に形成されている該雄ねじは該雄ねじ部材の前部に形成されている前部雄ねじと該雄ねじ部材の後部に形成されている後部雄ねじとから構成され、該前部雄ねじと該後部雄めじとは回転ねじ方向が相互に逆方向であり、該雌ねじ部材は該前部雄ねじに螺合された前部雌ねじ部材と該後部雌ねじに螺合せしめられた後部雌ねじ部材から構成され、該リンク部材は該前部雌ねじ部材と該一対の壁部材の該一方の前端部とを連結する前部リンク部材と該後部雌ねじ部材と該一対の壁部材の該一方の後端部とを連結する後部リンク部材とから構成されている、請求項５記載のペースト練和装置。
【請求項７】
該第一のペースト送出機構の該容器受入手段に受け入れられた該容器の該口頸部は、第一のペースト流路を介して該練和手段に連通せしめられ、該第二のペースト送出機構の該容器受入手段に受け入れられた該容器の該口頸部は、第二のペースト流路を介して該練和手段に連通せしめられ、該第一のペースト流路及び該第二のペースト流路の各々には流動するペーストの圧力を検出する圧力検出器が配設されており、該第一のペースト送出機構及び該第二のペースト送出機構の各々における該一対の壁の少なくとも該一方の移動速度を制御して該圧力検出器の各々の検出圧力を所要範囲にせしめることによって、該第一のペースト送出機構の該容器受入手段に受け入れられた容器から送出されるペーストの流量と該第二のペースト送出機構の該容器受入手段に受け入れられた容器から送出されるペーストの流量との比が制御される、請求項５又は６記載のペースト練和装置。
【発明の詳細な説明】
【０００１】
【発明の属する技術分野】
本発明は、ペーストを収容した容器からペーストを送出するためのペースト送出機構、及びかかるペースト送出機構を備えたペースト練和装置に関する。
【０００２】
【従来の技術】
当業者には周知の如く、歯科用シリコーンラバー印象材は、Ｓｉ−Ｈ基を有するシリコーン及びビニル基を有するシリコーンを主成分とする基材ペーストとビニル基を有するシリコーン及び白金触媒を主成分とする硬化材ペーストとを練和することによって生成され、また歯科用アルギン酸系印象材は、アルギン酸を主成分とする基材ペーストと石膏を主成分とする硬化材ペーストとを練和して生成される。更にまた、その他の歯科用ポリエーテルラバー印象材、歯科用チオコールラバー印象材等も、２種類のペーストを練和して生成される。かような練和に好都合に使用される練和装置としては、本出願人の出願に係る特願平６−１８０４２４号（特開平８−２４２７３号）、特願平６−２８０１４７号（特開平８−１４０９９８号）、特願平８−１１０５８２号（特開平９−２７６２９５号）、特願平１０−２９０１８９号、特願平１０−３２４７５３号及び特願平１１−２９３１５２号の明細書及び図面に開示されている練和装置を挙げることができる。
【０００３】
上記練和装置は、基材ペーストを送出するための第一のペースト送出機構、硬化材ペーストを送出するための第二のペースト送出機構、及び基材ペーストと硬化材ペーストとを練和するためのペースト練和手段を具備している。基材ペースト及び硬化材ペーストの各々は、ポリエチレン又はポリプロピレンの如き適宜の合成樹脂から形成された比較的剛性の口頸部とポリエチレンシート又はフィルムの如き適宜の合成樹脂シート又はフィルムでよい柔軟な材料から形成された主部とから成る形態の容器に収容されて市販されている。練和装置における第一のペースト送出機構及び第二のペースト送出機構の各々は、ペーストを収容した容器を倒立状態、即ち口頸部を下方に向けた状態で懸架する容器懸架手段と、懸架された容器の口頸部が接続されるペースト送出路と、かかるペースト送出路に配設された吸引手段から構成されている。吸引手段はトコロイドポンプの如き適宜のポンプ手段から構成されている。吸引手段が作動せしめられると、容器からペースト送出路を通して吸引手段にペーストが吸引され、そして吸引手段からペースト流路にペーストが押し出されて練和手段に供給される。
【０００４】
【発明が解決しようとする課題】
而して、従来の練和装置、特にそのペースト送出機構には、使用時間の経過に応じて吸引手段によるペースト吸引及び押出能力に変動が生じる、容器内に空気が混入した場合、かかる空気が吸引手段に吸引されて吸引手段の吸引及び押出が不安定になる、等の問題がある。
【０００５】
本発明は上記事実に鑑みてなされたものであり、その主たる技術的課題は、比較的安価に製造することができるにもかかわらず、長期間に渡って安定して作動することができ、容器内に空気が混入した場合でも重大な問題を発生せしめることなく作動することができる、新規且つ改良されたペースト送出機構を提供し、そしてまたかかるペースト送出機構を具備したペースト練和装置を提供することである。
【０００６】
【課題を解決するための手段】
本発明によれば、上記主たる技術的課題を解決するペースト送出機構として、口頸部と柔軟な材料から形成された主部とを有しかつペーストを収容した容器が適用されるペースト送出機構にして、
対向して配設された一対の壁を含み、該一対の壁の少なくとも一方は他方に対して接近及び離隔する方向に移動自在であり、該容器の少なくとも該主部を該一対の壁の間に位置せしめて該容器を受け入れる容器受入手段と、該一対の壁の少なくとも該一方を該他方に接近及び離隔する方向に移動せしめるための壁移動手段とを具備し、該壁移動手段が該一対の壁の少なくとも該一方を該他方に接近せしめる方向に移動せしめて、該一対の壁間に位置せしめられている該容器の該主部を圧潰することによって、該容器に収容されているペーストが該口頸部を通して送出せしめられ、
該壁移動手段は、所定位置に回転自在に装着され且つ外周面には雄ねじが形成されている雄ねじ部材と、内周面に形成されている雌ねじを該雄ねじ部材の該雄ねじに螺合せしめて該雄ねじ部材に装着され、該雄ねじ部材の回転に応じて該雄ねじ部材に沿って移動せしめられる雌ねじ部材と、該雌ねじ部材と該容器受入手段の該一対の壁の少なくとも該一方とを連結するリンク部材と、該雄ねじ部材を回転せしめるための回転駆動源とから構成されており、該雄ねじ部材の回転に応じて該雌ねじ部材が移動せしめられることによって、該一対の壁の少なくとも該一方が移動せしめられる、
ことを特徴とするペースト送出機構が提供される。
【０００７】
好ましくは、該壁移動手段の該雄ねじ部材に形成されている該雄ねじは該雄ねじ部材の前部に形成されている前部雄ねじと該雄ねじ部材の後部に形成されている後部雄ねじとから構成され、該前部雄ねじと該後部雄めじとは回転ねじ方向が相互に逆方向であり、該雌ねじ部材は該前部雄ねじに螺合された前部雌ねじ部材と該後部雌ねじに螺合せしめられた後部雌ねじ部材から構成され、該リンク部材は該前部雌ねじ部材と該一対の壁部材の該一方の前端部とを連結する前部リンク部材と該後部雌ねじ部材と該一対の壁部材の該一方の後端部とを連結する後部リンク部材とから構成されている。該容器受入手段は、底壁、該一対の壁を構成する両側壁、前端壁及び後端壁を有する箱状本体と、該箱状本体の上面を閉じる閉位置と該箱状本体の上面を開放する開位置との間を移動自在に配設された蓋部材とから構成されており、該両側壁の一方が該両側壁の他方に接近及び離隔する方向に移動自在であって該壁移動手段によって移動せしめられるのが好適である。好ましくは、該前端壁には上方に開放された切欠が形成されており、該容器の該口頸部は該切欠を通して該箱状本体から突出せしめられる。
【０００８】
更に、本発明によれば、上記主たる技術的課題を解決するペースト練和装置として、第一のペースト送出機構、第二のペースト送出機構、及びペースト練和手段を具備し、該第一のペースト送出機構及び該第二のペースト送出機構の各々には口頸部と柔軟な材料から形成された主部とを有し且つペーストを収容した容器が適用されるペースト練和装置にして、
該第一のペースト送出機構及び該第二のペースト送出機構の各々は、対向して配設された一対の壁を含み、該一対の壁の少なくとも一方は他方に対して接近及び離隔する方向に移動自在であり、該容器の少なくとも該主部を該一対の壁の間に位置せしめて該容器を受け入れる容器受入手段と、該一対の壁の少なくとも該一方を該他方に接近及び離隔する方向に移動せしめるための壁移動手段とを具備し、該壁移動手段が該一対の壁の少なくとも該一方を該他方に接近せしめる方向に移動せしめて、該一対の壁間に位置せしめられている該容器の該主部を圧潰することによって、該容器に収容されているペーストが該口頸部を通して送出せしめられ、
該壁移動手段は、所定位置に回転自在に装着され且つ外周面には雄ねじが形成されている雄ねじ部材と、内周面に形成されている雌ねじを該雄ねじ部材の該雄ねじに螺合せしめて該雄ねじ部材に装着され、該雄ねじ部材の回転に応じて該雄ねじ部材に沿って移動せしめられる雌ねじ部材と、該雌ねじ部材と該容器受入手段の該一対の壁の少なくとも該一方とを連結するリンク部材と、該雄ねじ部材を回転せしめるための回転駆動源とから構成されており、該雄ねじ部材の回転に応じて該雌ねじ部材が移動せしめられることによって、該一対の壁の少なくとも該一方が移動せしめられる、
ことを特徴とするペースト練和装置が提供される。
【０００９】
該第一のペースト送出機構の該容器受入手段に受け入れられた該容器の該口頸部は、第一のペースト流路を介して該練和手段に連通せしめられ、該第二のペースト送出機構の該容器受入手段に受け入れられた該容器の該口頸部は、第二のペースト流路を介して該練和手段に連通せしめられ、該第一のペースト流路及び該第二のペースト流路の各々には流動するペーストの圧力を検出する圧力検出器が配設されており、該第一のペースト送出機構及び該第二のペースト送出機構の各々における該一対の壁の少なくとも該一方の移動速度を制御して該圧力検出器の各々の検出圧力を所要範囲にせしめることによって、該第一のペースト送出機構の該容器受入手段に受け入れられた容器から送出されるペーストの流量と該第二のペースト送出機構の該容器受入手段に受け入れられた容器から送出されるペーストの流量との比が制御されるのが好適である。
【００１０】
【発明の実施の形態】
以下、本発明に従って構成されたペースト練和装置の好適実施形態を図示している添付図面を参照して、更に詳細に説明する。
【００１１】
図１及び図２を参照して説明すると、図示のペースト練和装置は略直方体形状のハウジング２を有する。そして、このハウジング２には、２個のペースト送出機構、即ち第一のペースト送出機構４ａ及び第二のペースト送出機構４ｂと１個のペースト練和手段６とが配設されている。練和手段６の主部はハウジング２の前壁を貫通して前方に突出せしめられている。かかる練和手段６は、ハウジング２から前方に向かって下方に傾斜して延出せしめられている静止外側ケーシング８とこのケーシング８内に配設された回転攪拌部材（図示していない）とを含んでいる。後に詳述する如く、ケーシング８には第一のペースト送出機構４ａから基材ペーストが供給されると共に第二のペースト送出機構４ｂから硬化材ペーストが供給される。そして、電動モータでよい回転駆動源（図示していない）によって攪拌部材が回転駆動せしめられ、これによってケーシング８を流動する基材ペーストと硬化材ペーストが所要とおりに練和され、ケーシング８の先端即ち下流端から排出される。練和手段６自体の構成は、上記特願平１０−２９０１８９号又は特願平１１−２９３１５２号の明細書及び図面に開示されているとおりの形態でよく、それ故に練和手段６自体の構成の詳細な説明は上記特願平１０−２９０１８９号又は特願平１１−２９３１５２号の明細書及び図面に委ね、本明細書においては説明を省略する。
【００１２】
ハウジング２の上面は図１に実線で示す閉位置と図１に二点鎖線で示す開位置との間を旋回動自在であるカバー１０によって規定されている。カバー１０を開位置にせしめることによって開放されるハウジング２の内部には、上記第一のペースト送出機構４ａと第二のペースト送出機構４ｂとが配置されている。第一のペースト送出機構４ａと第二のペースト送出機構４ｂとは前後方向に延びる中心軸線に関して線対称形態に配設されており、両者の構成は実質上同一である。第一のペースト送出機構４ａ及び第二のペースト送出機構４ｂは、容器受入手段１２ａ及び１２ｂと壁移動手段１４ａ及び１４ｂとから構成されている。
【００１３】
図２と共に図３を参照して説明すると、ハウジング２の略中央部には直立支持基板１６ａ及び１６ｂが固定されており、容器受入手段１２ａ及び１２ｂは直立支持基板１６ａ及び１６ｂに装着されている。更に詳述すると、容器受入手段１２ａ及び１２ｂは箱状本体１８ａ及び１８ｂと蓋部材２０ａ及び２０ｂとから構成されている（図２においては、図面の明確化のために蓋部材２０ａ及び２０ｂの図示を省略している）。箱状本体１８ａ及び１８ｂは、直立支持基板１６ａ及び１６ｂに固定された共通部材によって規定された底壁２２ａ及び２２ｂ並びに前端壁２４ａ及び２４ｂ、同様に直立支持基板１６ａ及び１６ｂに固定された共通部材によって規定された側壁２６ａ及び２６ｂ並びに後端壁２８ａ及び２８ｂを含んでいる。箱状本体１８ａ及び１８ｂは、更に、壁移動手段１４ａ及び１４ｂによって図２に実線で示す初期位置と図２に二点鎖線で示す最終位置との間を移動自在に、従って上記側壁２６ａ及び２６ｂに対して接近する方向及び離隔する方向に移動せしめられる側壁３０ａ及び３０ｂも含んでいる。箱状本体１８ａ及び１８ｂには、側壁３０ａ及び３０ｂが二点鎖線で示す最終位置に移動せしめられると、これを検出する検出器（図示していない）が付設されている。かかる検出器は例えばマイクロスイッチから構成することができる。蓋部材２０ａ及び２０ｂは、箱状本体１８ａ及び８ｂの上面を閉じる、図３に二点鎖線で示す閉位置と、図３に実線で示す開位置との間を旋回動自在に側壁２６ａ及び２６ｂに装着されている。箱状本体１８ａ及び１８ｂの前端壁２４ａ及び２４ｂ並びに後端壁２８ａ及び２８ｂの各々と蓋部材２０ａ及び２０ｂとの間には、蓋部材２０ａ及び２０ｂを閉位置に解除自在にロックするロック手段３２（その１個を図３に図示している）が配設されている。かかるロック手段３２は、係止ピンとこれに解除自在に係止せしめられるフック片とから構成することができる。箱状本体１８ａ及び１８ｂの前端壁２４ａ及び２４ｂの片側部、即ち側壁２６ａ及び２６ｂに隣接する部分、には上下方向に細長く延び上方に開放されている切欠３４ａ及び３４ｂが形成されている。
【００１４】
上記直立支持基板１６ａ及び１６ｂには、箱状本体１８ａ及び１８ｂの前端壁２４ａ及び２４ｂの前方に位置する支持板３６ａ及び３６ｂも固定されている。かかる支持板３６ａ及び３６ｂには接続部材３８ａ及び３８ｂが装着されている。接続部材３８ａ内には、上記練和手段６に配設されている第一の導入路（図示していない）に連通せしめられている第一のペースト流路４０ａが規定されており、接続部材３８ｂ内には、上記練和手段６に配設されている第二の導入路（図示していない）に連通せしめられている第二のペースト流路４０ｂが規定されている。第一のペースト流路４０ａ及び第二のペースト流路４０ｂには、流動せしめられるペーストの圧力を検出するための圧力検出器（図示していない）が付設されている。
【００１５】
図２を参照して説明を続けると、ハウジング２の両側縁部にも直立支持基板４４ａ及び４４ｂが固定されており、容器受入手段１２ａ及び１２ｂにおける箱状本体１８ａ及び１８ｂの側壁３０ａ及び３０ｂを移動せしめるための壁移動手段１４ａ及び１４ｂは直立支持基板４４ａ及び４４ｂに装着されている。直立支持基板４４ａ及び４４ｂは前後方向に間隔をおいて位置する前側支持部４８ａ及び４８ｂ並びに後側支持部５０ａ及び５０ｂを有し、前側支持部４８ａ及び４８ｂと後側支持部５０ａ及び５０ｂとの間には、実質上水平に延在する雄ねじ部材５２ａ及び５２ｂが所定位置に回転自在に装着されている。雄ねじ部材５２ａ及び５２ｂの前部及び後部には、夫々、前部雄ねじ５４ａ及び５４ｂと後部雄ねじ５６ａ及び５６ｂとが形成されている。雄ねじ部材５２ａ及び５２ｂの前部に形成されている前部雄ねじ５４ａ及び５４ｂと雄ねじ部材５２ａ及び５２ｂの後部に形成されている後部雄ねじ５６ａ及び５６ｂとは回転ねじ方向が相互に逆方向に設定されている。
【００１６】
図２に明確に図示するとおり、雄ねじ部材５２ａ及び５２ｂの前部に形成されている前部雄ねじ５４ａ及び５４ｂには前部雌ねじ部材５８ａ及び５８ｂが装着され、雄ねじ部材５２ａ及び５２ｂの後部に形成されている後部雄ねじ５６ａ及び５６ｂには後部雌ねじ部材６０ａ及び６０ｂが装着されている。前部雌ねじ部材５８ａ及び５８ｂ並びに後部雌ねじ部材６０ａ及び６０ｂの各々は円筒形状であり、内周面には前部雄ねじ５４ａ及び５４ｂ並びに後部雄ねじ５６ａ及び５６ｂに螺合せしめられた雌ねじ（図示していない）が形成されている。前部雌ねじ部材５８ａ及び５８ｂにおける容器受入手段１２ａ及び１２ｂに面する表面（幅方向内側表面）上には連結ブラケット６２ａ及び６２ｂが固定されており、同様に後部雌ねじ部材６０ａ及び６０ｂにおける容器受入手段１２ａ及び１２ｂに面する表面（幅方向内側表面）上には連結ブラケット６４ａ及び６４ｂが固定されている。一方、容器受入手段１２ａ及び１２ｂの側壁３０ａ及び３０ｂの前端部外面及び後端部外面には、夫々連結ブラケット６６ａ及び６６ｂ並びに６８ａ及び６８ｂが固定されている。連結ブラケット６２ａ及び６２ｂと連結ブラケット６６ａ及び６６ｂとの間には、前部リンク部材７０ａ及び７０ｂが配設されており、連結ブラケット６４ａ及び６４ｂと連結ブラケット６８ａ及び６８ｂとの間には後部リンク部材７２ａ及び７２ｂが配設されている。前部リンク部材７０ａ及び７０ｂの一端部は連結ブラケット６２ａ及び６２ｂに旋回自在に連結され、他端部は連結ブラケット６６ａ及び６６ｂに旋回自在に連結されている。同様に、後部リンク部材７２ａ及び７２ｂの一端部は連結ブラケット６４ａ及び６４ｂに旋回自在に連結され、他端部は連結ブラケット６８ａ及び６８ｂに旋回自在に連結されている。
【００１７】
雄ねじ部材５２ａ及び５２ｂは、上記直立支持基板４４ａ及び４４ｂの前側支持部４８ａ及び４８ｂを貫通して前方に突出せしめられており、かかる前端部には入力歯車７４ａ及び７４ｂが固定されている。ハウジング２の下部には電動モータでよい回転駆動源７６ａ及び７６ｂが配設されており、かかる回転駆動源７６ａ及び７６ｂの出力軸は伝動歯車でよい伝動手段（図示していない）を介して入力歯車７４ａ及び７４ｂに駆動連結せしめられている。回転駆動源７６ａ及び７６ｂが所定方向に回転駆動せしめられ、雄ねじ部材５２ａ及び５２ｂが所定方向に回転せしめられると、雌ねじ部材５８及び５８ｂと雌ねじ部材６０ａ及び６０ｂとは、相互に離れる方向に雄ねじ部材５２ａ及び５２ｂに沿って移動せしめられ、これによって容器受入手段１２ａ及び１２ｂの側壁３０ａ及び３０ｂは図２に実線で示す初期位置から図２に二点鎖線で示す最終位置に向けて、即ち側壁２６ａ及び２６ｂに接近する方向に移動せしめられる。回転駆動源７６ａ及び７６ｂが反対方向に回転駆動せしめられ、雄ねじ部材５２ａ及び５２ｂが反対方向に回転せしめられると、雌ねじ部材５８及び５８ｂと雌ねじ部材６０ａ及び６０ｂとは、相互に接近する方向に雄ねじ部材５２ａ及び５２ｂに沿って移動せしめられ、これによって容器受入手段１２ａ及び１２ｂの側壁３０ａ及び３０ｂは図２に二点鎖線で示す最終位置から図２に実線で示す初期位置に向けて、即ち側壁２６ａ及び２６ｂから離隔する方向に移動せしめられる。
【００１８】
図示の実施形態においては、ねじ機構及びリンク機構を利用した壁移動手段を採用しているが、その他の機構を使用した任意の壁移動手段を採用することもできる。例えば、柔軟な袋状物内に空気又は水の如き流体を供給して袋状物を膨張せしめることによって、側壁３０ａ及び３０ｂを移動せしめることもできる。
【００１９】
上述したとおりのペースト練和装置の作用を要約して説明すると、第一のペースト送出機構４ａの容器受入手段１２ａには基材ペーストを収容した第一の容器８６ａ（図２に実線で示すと共に図３に二点鎖線で示している）が装着され、第二のペースト送出機構４ｂの容器受入手段１２ｂには硬化材ペーストを収容した第二の容器８６ｂが装着される。第一の容器８６ａ及び／又は第二の容器８６ｂを装着する際には、ハウジング２のカバー１０を図１に二点鎖線で示す開位置にせしめてハウジング２の内部を開放し、そして更に、第一のペースト送出機構４ａにおける容器受入手段１２ａの蓋部材２０ａ及び／又は第二のペースト送出機構４ｂにおける容器受入手段１２ｂの蓋部材２０ｂを図３に実線で示す開位置にせしめる。図２及び図３に図示する如く、第一及び第二の容器８６ａ及び８６ｂは、適宜の合成樹脂から形成することができる比較的剛性の口頸部８８ａ及び８８ｂと適宜の合成樹脂シート又はフィルムの如き柔軟な材料から形成することができる主部９０ａ及び９０ｂとから構成されており、主部９０ａ及び９０ｂ内には夫々基材ペースト及び硬化材ペーストが収容されている。図示の第一及び第二の容器８８ａ及び８８ｂにおいては、口頸部８８ａ及び８８ｂは主部９０ａ及び９０ｂの中心軸線と整合した位置ではなく一方に偏って位置せしめられている。かような第一及び第二の容器８６ａ及び８６ｂは、口頸部８８ａ及び８８ｂに装着されていたキャップ（図示していない）を離脱せしめて、偏って位置せしめられている口頸部８８ａ及び８８ｂを容器受入手段１２ａ及び１２ｂの前端壁２４ａ及び２４ｂの片側部に形成されている切欠３４ａ及び３４ｂに上方から進入せしめ、そして主部９０ａ及び９０ｂを箱状本体１８ａ及び１８ｂ内に位置せしめる。前端壁２４ａ及び２４ｂの切欠３４ａ及び３４ｂを通って前方に延出する口頸部８８ａ及び８８ｂの先端は接続部材３８ａ及び３８ｂに接続され、かくして第一及び第二の容器８８ａ及び８８ｂ内は第一及び第二のペースト流路４０ａ及び４０ｂに連通せしめられる。かようにして容器受入手段１２ａ及び１２ｂに所要とおりに装着した後に、容器受入手段１２ａ及び１２ｂの蓋部材２０ａ及び２０ｂを図３に二点鎖線で示す閉位置に戻し、次いでハウジング２のカバーを図１に実線で示す閉位置に戻す。
【００２０】
基材ペーストと硬化材ペーストとを練和して使用する際には、ハウジング２の前面に配設されている作動ボタン９２を押圧する。かくすると、第一のペースト送出機構４ａにおける回転駆動源７６ａが付勢されて、雄ねじ部材５２ａが所定方向に回転せしめられ、これによって側壁３０ａが側壁２６ａに接近する方向に移動せしめられる。従って、容器受入手段１２ａ内において第一の容器８６ａの主部９０ａが圧潰され、これによって第一の容器８６ａの口頸部８８ａを通して基材ペーストがペースト流路４０ａに送出され、ペースト流路４０ａを通して練和手段６に供給される。同様に、第二のペースト送出機構４ｂにおける回転駆動源７６ｂも付勢されて、雄ねじ部材５２ｂが所定方向に回転せしめられ、これによって側壁３０ｂが側壁２６ｂに接近する方向に移動せしめられる。従って、容器受入手段１２ｂ内において第二の容器８６ｂの主部９０ｂが圧潰され、これによって第二の容器８６ｂの口頸部８８ｂを通して硬化材ペーストがペースト流路４０ｂに送出され、ペースト流路４０ｂを通して練和手段６に供給される。第一及び第二の容器８６ａ及び８６ｂからのペーストの送出は、側壁３０ａ及び３０ｂを対向する側壁２６ａ及び２６ｂに向けて移動せしめて容器８６ａ及び８６ｂの主部９０ａ及び９０ｂを圧潰することによって遂行される故に、長期間に渡って安定してペーストの送出を遂行することができ、第一及び第二の容器８６ａ及び８６ｂ内に空気が混入した場合でも重大な問題を発生せしめることがない。練和手段６に供給される基材ペーストの量と硬化材ペーストの量とは例えば２乃至３：１程度であることが要求され、従って図示の実施形態では第一のペースト送出機構４ａにおける側壁２６ａの移動速度は第二のペースト送出機構４ｂにおける側壁２６ｂの移動速度の２乃至３倍程度に設定される。側壁２６ａ及び２６ｂの移動速度は、夫々、ペースト流路４０ａ及び４０ｂ内のペーストの圧力を検出する圧力検出器（図示していない）の検出値に基いて回転駆動源７６ａ及び７６ｂの回転速度を制御することによって調整することができる。練和手段６に供給された基材ペーストと硬化材ペーストとは練和手段６において混合せしめられ、練和手段６のケーシング８の先端から排出される。上記作動ボタン９２の押圧を解除すると、回転駆動源７６ａ及び７６ｂが除勢され、側壁３０ａ及び３０ｂの移動が停止される。所望ならば、側壁３０ａ及び３０ｂの移動を一旦停止した後に、第一の容器８６ａ及び第二の容器８６ｂ内に残留し得る圧力、即ち残圧を解放するために、側壁３０ａ及び３０ｂを逆方向に若干戻り移動せしめることもできる。
【００２１】
基材ペーストと硬化材ペーストとの練和が繰り返し遂行され、従って第一のペースト送出機構４ａにおける側壁３０ａが矢印８０ａで示す方向に繰り返し移動せしめられて、側壁３０ａが図２に二点鎖線で示す最終位置に移動せしめられると、検出器（図示していない）がこれを検出し、ハウジング２の前面に配設されている警告ランプ９４ａが点灯され、第一の容器８６ａ内の基材ペーストが枯渇したことが使用者に警告される。この場合には、ハウジング２の前面に配設されているリセットボタン９６ａを押圧して回転駆動源７６ａを付勢して雄ねじ部材５２ａを反対方向に回転せしめて側壁３０ａを図２に実線で示す初期位置に戻す。次いで、ハウジング２のカバー１０を開動し、容器受入手段１２ａの蓋部材２０ａを開位置にせしめて、第一の容器８６ａを新しいものに取り替えればよい。同様に、第二のペースト送出機構４ｂにおける側壁３０ｂが図２に二点鎖線で示す最終位置に移動せしめられると、検出器（図示していない）がこれを検出し、ハウジング２の前面に配設されている警告ランプ９４ｂが点灯され、第一の容器８６ｂ内の硬化材ペーストが枯渇したことが使用者に警告される。この場合には、リセットボタン９６ｂを押圧して第一の容器８６の場合と同様にして第二の容器８６ｂを新しいものに取り替えればよい。
【００２２】
【発明の効果】
本発明によれば、比較的安価に製造することができるにもかかわらず、長期間に渡って安定して作動することができ、容器内に空気が混入した場合でも重大な問題を発生せしめることなく作動することができるペースト送出機構が提供されると共に、かようなペースト送出機構を具備したペースト練和装置が提供される。
【図面の簡単な説明】
【図１】本発明に従って構成された練和装置の好適実施形態を示す簡略斜面図。
【図２】図１の練和装置における第一及び第二のペースト送出機構を示す平面図。
【図３】図１の練和装置における第一のペースト送出機構の容器収容手段を示す部分斜面図。
【符号の説明】
２：ハウジング
４ａ：第一のペースト送出機構
４ｂ：第二のペースト送出機構
６：練和手段
１２ａ：容器受入手段
１２ｂ：容器受入手段
１４ａ：壁移動手段
１４ｂ：壁移動手段
１８ａ：箱状本体
１８ｂ：箱状本体
２０ａ：蓋部材
２０ｂ：蓋部材
３０ａ：（可動側壁）
３０ｂ：（可動側壁）
３８ａ：接続部材
３８ｂ：接続部材
４０ａ：ペースト流路
４０ｂ：ペースト流路
５２ａ：雄ねじ部材
５２ｂ：雄ねじ部材
５８ａ：雌ねじ部材
５８ｂ：雌ねじ部材
６０ａ：雌ねじ部材
６０ｂ：雌ねじ部材
７０ａ：リンク部材
７０ｂ：リンク部材
７２ａ：リンク部材
７２ｂ：リンク部材
７６ａ：回転駆動源
７６ｂ：回転駆動源
８６ａ：第一の容器
８６ｂ：第二の容器
８８ａ：容器の口頸部
８８ｂ：容器の口頸部
９０ａ：容器の主部
９０ｂ：容器の主部
【図１】
0003921328.tif 000002
【図２】
0003921328.tif 000003
【図３】
0003921328.tif 000004